(57)【特許請求の範囲】
【請求項１】
病院のナースセンターや高齢者用集合住宅の管理人室等に設置され、発呼者からの呼び出しを被呼者に知らせるナースコール親機（１）と、部屋のベッド近傍に設置され前記発呼者が前記被呼者を呼び出す場合に使用するナースコール子機（５）がカールコード（５４）を介して接続される子機アダプタ（４）と、前記ナースコール子機からの呼び出しを検出し前記ナースコール親機に伝えるとともに表示灯（３１）を動作させる廊下灯（３）と、前記ナースコール親機、前記廊下灯を制御する制御装置（２）とを有し、
前記カールコードに設けられ、前記カールコードに一定の張力が印加されるとき断線する前に危険であることを検知して検知信号を出力するセンサ（５３）を備えており、
前記子機アダプタは、前記センサからの検知信号を受信する張力検出回路（４２）と、前記張力検出回路で前記検知信号が検出されたとき報知部（４４）から警告音を報知するための警告音報知回路（４３）とを備えていることを特徴とするナースコール装置。
【請求項２】
前記センサは、前記カールコードが伸長されて張力が増大するにつれて磁力の変化を検出したときに動作する磁気センサで構成されていることを特徴とする請求項１記載のナースコール装置。
【請求項３】
前記磁気センサは、リードスイッチおよびホール素子の１つで構成されていることを特徴とする請求項２記載のナースコール装置。
【発明の詳細な説明】
【発明の属する技術分野】
本発明はナースコール装置に係り、特に、ナースコール子機のコードの断線を防止するセンサを設けたナースコール装置に関する。
【従来の技術】
図４に示すように、病院のナースセンターや高齢者用集合住宅の管理人室等に設置される従来のナースコール装置は、患者からの呼び出しを看護師に知らせるナースコール親機１０と、患者が看護師を呼び出す場合に使用するナースコール子機５０と、病室のベッド近傍に設置されナースコール子機５０がコード５９を介して接続される子機アダプタ４０と、ナースコール子機５０からの呼び出しを検出しナースコール親機１０に伝えるとともに表示灯３９を動作させる廊下灯３０と、ナースコール親機１０および廊下灯３０を制御する制御装置２０とで構成され、ナースコール子機５０と子機アダプタ４０とを結ぶコード５９は、ベッドから滑り落ちないよう通常はベッドに縛り付けられている。
【発明が解決しようとする課題】
上述のように、従来のナースコール装置では、ナースコール子機５０のコード５９がベッドに縛り付けられているため、施設内で頻繁におこなわれるベッドの移動時などに、ナースコール子機５０のコード５９をベッドに縛り付けたままベッドを動かしてしまい、引っ張られたコード５９が断線してしまうというトラブルがあった。
本発明はこのような問題を解決するためになされたもので、ナースコール子機のコードにある一定以上の張力が印加されると警告音を放音し、断線を事前に回避するナースコール装置を提供することを目的とする。
【課題を解決するための手段】
このような目的を達成するため、本発明のナースコール装置は、病院のナースセンターや高齢者用集合住宅の管理人室等に設置され、発呼者からの呼び出しを被呼者に知らせるナースコール親機と、部屋のベッド近傍に設置され発呼者が被呼者を呼び出す場合に使用するナースコール子機がカールコードを介して接続される子機アダプタと、ナースコール子機からの呼び出しを検出しナースコール親機に伝えるとともに表示灯を動作させる廊下灯と、ナースコール親機、廊下灯を制御する制御装置とを有し、カールコードに設けられ、カールコードに一定の張力が印加されるとき断線する前に危険であることを検知して検知信号を出力するセンサを備えており、子機アダプタは、センサからの検知信号を受信する張力検出回路と、張力検出回路で検知信号が検出されたとき報知部から警告音を報知するための警告音報知回路とを備えている。
また、本発明のナースコール装置では、センサは、カールコードが伸長されて張力が増大するにつれて磁力の変化を検出したときに動作する磁気センサで構成されている。
また、本発明のナースコール装置では、磁気センサは、リードスイッチおよびホール素子の１つで構成されている。
このようなナースコール装置によれば、ナースコール子機のコードがある一定の長さ以上に伸びると張力センサと警告音報知回路とが働き、断線する前に警告音を発しコードの断線を事前に回避することができる。
【発明の実施の形態】
以下に、本発明に係わるナースコール装置をその実施の形態例について図面を参照して詳述する。
図１に示すように、病院のナースセンターや高齢者用集合住宅の管理人室等に設置される発明のナースコール装置は、患者からの呼び出しを看護師に知らせるナースコール親機１と、患者が看護師を呼び出す場合に使用するナースコール子機５と、病室のベッド近傍に設置されナースコール子機５がコード５４、５４ａを介して接続される子機アダプタ４と、ナースコール子機５からの呼び出しを検出しナースコール親機１に伝えるとともに表示灯３１を動作させる廊下灯３と、ナースコール親機１および廊下灯３を制御する制御装置２とで構成され、ナースコール子機５と子機アダプタ４とを結ぶコード５４、５４ａは、ベッドから滑り落ちないよう通常はベッドに縛り付けられていている。
図２に示すように、ナースコール子機５は、呼出部５１とコード部５２とから構成され、さらにコード５４に一定の張力が印加されるとき子機アダプタ４から断線する前に断線の危険があることを検知して検知信号を出力するセンサ５３をコード部５２に備え、子機アダプタ４は、ナースコール子機５からの呼び出しを検出して廊下灯３に呼出信号を送出する呼出信号送出回路４１と、ナースコール子機５のセンサ５３が張力の増大を検知したとき検知信号を受信する張力検出回路４２と、張力検出回路４２で検知信号が検出されたとき報知部４４から警告音を報知するための警告音報知回路４３とを有している。なお、コード５４にはカールコード５４が用いられている。
さらに、センサ５３は、コード５４が伸長されて張力が増大するにつれて磁力の変化を検出したときに動作する磁気センサ５３ｂが選択され、磁気センサ５３ｂは、リードスイッチおよびホール素子の１つで構成されている。
また、本発明によるナースコール装置のセンサ５３は、図３に示すように、コード５４ａに印加される張力を測定するストレインゲージ５３ａで構成し、子機アダプタ４に設けても好適である。
以下に、本発明によるナースコール装置の動作について説明する。
ベッドにいる患者が看護師を呼び出すためにナースコール子機５の呼出部５１にある呼出ボタン（図示せず）を押下すると、呼出信号が呼出信号送出回路４１を介して廊下灯３へ送出される。廊下灯３はこの呼出信号を検出して表示灯３１を点滅させるとともに制御装置２を介してナースコール親機１へ当該呼出信号を伝送する。ナースコール親機１では呼出信号を検出すると呼出音を放音し、それを確認した看護師が応答操作することによって患者と通話をすることができる。
次に、本発明のナースコール装置のナースコール子機５のコード５４、５４ａの断線防止について詳述する。
図２に示すように、ベッドから滑り落ちないようにベッドに縛り付けられていているナースコール子機５のコード５４が、ベッドの移動時等に子機アダプタ４と連結されたままナースコール子機５とともに移動して引っ張られると、ナースコール子機５のコード部５２に設けられた磁気センサ５３ｂが、張力の増大に連動して変化する磁力の変化を検出し、子機アダプタ４の張力検出回路４２に検知信号を送出する。張力検出回路４２で検出された検知信号は、警告音報知回路４３を動作させ報知部４４から警告音を発報し、断線注意を促し、断線を未然に防止する。
また、図３に示すように、センサとして子機アダプタ４に設けられたストレインゲージ５３ａも、ベッドの移動時等にナースコール子機５とともにコード５４ａが引っ張られると、ストレインゲージ５３ａが、コード５４ａに印加される張力を測定し、子機アダプタ４の張力検出回路４２に検知信号を送出する。一定値以上の張力が測定されると、張力検出回路４２で検出された検知信号は、警告音報知回路４３を動作させ報知部４４から警告音を発報し、断線注意を促し、断線を未然に防止するものである。
【発明の効果】
以上の実施例から明らかなように、本発明のナースコール装置によれば、子機のコードがある一定の長さ以上に伸びるとセンサが検知し、警告音報知回路が働き、断線する前に警告音を発しコードの断線を事前に回避することができる。
【図面の簡単な説明】
【図１】  本発明によるナースコール装置の一例を示すシステム構成図である。
【図２】  本発明によるナースコール装置の要部の詳細ブロック図である。
【図３】  本発明によるナースコール装置の他の実施例を示す要部の詳細ブロック図である。
【図４】  従来のナースコール装置のシステム構成図である。
【符号の説明】
１…ナースコール親機
２…制御装置
３…廊下灯
３１…表示灯
４…子機アダプタ
４２…張力検出回路
４３…警告音報知回路
４４…報知部
５…ナースコール子機
５３…センサ
５４…カールコード
【図１】
0003955768.tif 000002
【図２】
0003955768.tif 000003
【図３】
0003955768.tif 000004
【図４】
0003955768.tif 000005